(57)【要約】【課題】本発明は、建築工事の検査で発見された不具合の位置を数値化して検査シートに取り込み、検査シートだけで是正工事の推進を可能とすると共に、検査結果の電子データ化を促進する他、検査シートの記入方法を省力化するものである。【解決手段】建築工事の検査において使用する検査シートであって、検査の対象となる１室ごとに、または分割された１区画ごとにその床面に、あるいは検査の対象となる１面に平面座標を設定し、検査にて発見された不具合の位置を前記座標上の数置で記録することを特徴としている。更に検査シートの室名、部位名、不具合の内容、関係業者名等にコード欄を設け、現場では簡略化した記入ですますことを特徴としている。【選択図】  図１
2007145009.tif 000002
【特許請求の範囲】
【請求項１】
建築工事の目視検査において使用する検査シートであって、前記検査で発見された不具合が存在する面に平面座標を設定し、その座標上の数値で前記不具合の位置を記録する位置欄が設けられていることを特徴とする検査シート。
【請求項２】
請求項１に記載された検査シートにおいて、前記位置欄は１室ごとに、又は分割された１区画ごとにその床面に平面座標を設定し、前記検査にて発見された前記床面の不具合位置を前記床面の平面座標上の数値で記録することを特徴とする検査シート。
【請求項３】
請求項２に記載された検査シートにおいて、前記位置欄は前記検査にて発見された床面以外の不具合を前記床面に投影し、投影された位置を前記床面の平面座標上の数値で記録することを特徴とする検査シート。
【請求項４】
請求項３に記載された検査シートにおいて、前記位置欄は前記検査にて発見された不具合が存在する高さを記録する高さ欄を合わせ持つことを特徴とする検査シート。
【請求項５】
請求項１に記載された検査シートにおいて、前記位置欄は１室の壁面を構成する面ごとに、又は分割された１区画の壁面を構成する面ごとにその面に平面座標を設定し、前記検査にて発見された前記壁面の不具合位置を前記壁面の平面座標上の数値で記録することを特徴とする検査シート。
【請求項６】
請求項１から請求項５のいずれかに記載された検査シートにおいて、前記位置欄は平面座標を設定した面を縦横２辺ともに同一の数値で等分、又は面の１辺を一定の数値で等分し、等分された辺についてそれぞれ等分された一つの刻みを座標の１目盛とした数値で記録することを特徴とする検査シート。
【請求項７】
請求項１から請求項６のいずれかに記載された検査シートにおいて、携帯型電子情報入力機器の画面に表示される表であることを特徴とする検査シート。
【請求項８】
建築工事の目視検査において使用する手書き用の検査シートであって、不具合が生じている室名、部位名、不具合内容、処理方法、関係業者名を記録する為のコード欄を前記室名、部位名、不具合内容、処理方法、関係業者名の各記入欄の前後に隣合わせて有することを特徴とする検査シート。
【請求項９】
建築工事の目視検査において発見された不具合の箇所数に応じて、不具合内容を列挙する行数が追加できる検査シートであって、携帯型電子情報入力機器の画面に表示され、その画面の一部にコードリスト、もしくは項目リストを表示させる領域を設定し、前記領域内に表示されたコードリスト、もしくは項目リストを利用して前記検査シートのコード欄、もしくは項目欄に該当する文字を入力することを特徴とする検査シート。
【発明の詳細な説明】
【技術分野】
【０００１】
本発明は建築工事の検査において使用される検査シートに関するものである。
【背景技術】
【０００２】
従来、建築工事において仕上げ工事中の検査、あるいは完成時の検査では、不具合内容を記入する検査シートと不具合位置を記入する平面図を準備して現場を巡回する。検査で発見された不具合は一つ一つ異なった番号付けがされ、検査シートはその番号と不具合内容やその不具合を是正する業者名等を列記されて検査結果シートとなり、平面図は前記番号と符合した数字を該当位置にマーキングされて関係者共通の位置確認図となる。更に目印として現地の不具合に直接、附箋等を貼りつけることも有る。
【０００３】
ここでは、工事管理者や工事監理者によって行われる建物内部全般を対象とした目視検査で通常使われている手書き用紙を使った例を元に、従来の検査シートについて図によって説明する。図１５は従来の完成検査シート７で、工事管理者により図２の平面図部分の検査が行われ、発見された不具合が不具合事項記入欄１２に列記されて検査結果シートになっている。
【０００４】
図２平面図は、図１５の完成検査シート７の不具合番号欄１１−１に記入された番号と符合した数字を該当する位置に●印をつけられて位置確認図になっている。検査シートと平面図は図１５と図２のようにそれぞれ別の用紙にした場合（以下，分離型と呼ぶ）と、検査シートと平面図を一枚用紙の中に配置した一枚シート型の場合（以下、一体型と呼ぶ）がある。
【０００５】
検査後、分離型の場合、１枚の検査結果シートの中で業者名欄１１−１４に１事項でも記載されている業者には、その検査結果シートのコピーと、該当する位置確認図のコピーを添付して是正指示書とされる。
【０００６】
一体型の場合、例えばこの型がよく使われる集合住宅では１戸に１枚の検査シートが準備され、１戸にて発見された不具合は検査シート側と、平面図側にそれぞれ記入され１戸ごとに完結した１枚の検査結果シートとなる（例えば、特許文献１参照。及び  非特許文献１参照。）。１枚の検査結果シートの中には複数業者の不具合が混在しているが、是正すべき業者として１事項でも記載されている場合は是正指示書としてそのコピーを渡され是正工事に向かう。
【０００７】
工事管理者は是正工事の指示後、業者から完了の報告を受けると、今度は自ら確認の為に検査結果シートファイルと位置確認図ファイルを持って現場へ向かい、不具合位置を照合しながら２つの書類に合否のマークをつける。マークされたシートと確認図は再確認の度に繰り返し書き直され、全不具合が完了するまで未達成業者に再提示されて工事が進められる。
【０００８】
こうして検査開始から是正工事終了まで使われた書類は、工事完成後に工事記録として保存される物も多く含まれている。
【０００９】
また、同じ建物の中では部分的な検査、例えば壁の造作を専門とする業者による壁の検査など、各専門工事業者による自主検査も行われている。施工量が小数で図面に不具合位置と内容を直接記載したものから、位置確認図と検査シートを分けて分離型にしたものまで施工規模により変わるが、いずれの場合も位置確認図を使って下部組織に伝達されている。そして各専門業者の関係図面も施工量が多くなると膨大な量であること、造作工事を構成する面全てが姿図として図面化されていないこと、により位置関係が分かる一般平面図を位置確認図に利用している。
【００１０】
ここまで説明した仕上げ検査の他、躯体工事の検査では、設計図に設定された通り芯名と個々の柱や梁に付けられた符号名を使って不具合の場所を表現しているが、場所を確実に伝達する場合はやはり平面図にマーキングをして位置確認図を作成している（例えば、特許文献２参照。非特許文献２参照。）。
【００１１】
一方、検査時の記入者は検査員に同行しながら立ち姿で記録していく。検査班の構成人数はさまざまであるが、記入人数は分離型では検査シートと図面へのマーキングを二人で意気を合わせながら分担する場合と１人で両方を記入する場合があり、一体型では１枚シートなので１人で記入することになる。
【００１２】
またＩＴ時代に入ってから、携帯型情報端末機器等を使う例も紹介され、同一画面内に不具合内容欄と平面図を分割表示するなどの提案がされている。手書きシートと同様で、まず、不具合に一つ一つ異なった番号付けがされ、不具合内容欄にはその番号を、平面図にはその番号と符号した数字を該当位置にペン等で触れてマーキングしている。このようにどのような記録手段また伝達手段であれ図を利用した位置表示は目視検査及び是正工事において必須のものとなっている。
【００１３】
【特許文献１】特開平８−４８０９３
【特許文献２】特開平１０−２６９２５１
【非特許文献１】篠木武彦著、「わかりやすい  建築の品質管理」、オーム社出版局、２００２年１月２５日発行、Ｐ１３２ページ〜Ｐ１３６ページ
【非特許文献２】社団法人日本建築構造技術者協会編、「ＲＣ建築物驅体の工事監理チェックリスト  第２版」、技報堂出版、２００１年１月１０日発行、Ｐ１３１〜    Ｐ１４７
【発明の開示】
【発明が解決しようとする課題】
【００１４】
分離型の場合、是正者は検査結果シートの中から自己に関する不具合を見つけ出し、更にその不具合に付けられた番号と符合した位置を位置確認図から見つけ出す、という面倒な手順を経て始めて不具合位置へたどり着くことができ、２種類の記録に頼らなければ是正工事ができないという問題がある。
【００１５】
一体型の場合は１枚の用紙の中に不具合内容記入欄と平面図を配置するので、検査部分ごとに違った検査シートを準備する煩わしさがある。しかも、是正工事ではそのままコピーしたものを是正指示書として使わざるを得ないという問題がある
【００１６】
また、どちらの型でも壁面等の不具合高さに関する記述が不明確で、たどり着いても附箋が貼って無ければ該当不具合であると断定するのにまごつくという問題もある。その附箋も階高が高い場合や面の材質によっては貼りにくいこともある。
【００１７】
また、位置確認用の為に検査で準備する平面図の枚数は、少なくともオフィスビルであれば１フロアーを１枚としてビルの階数枚以上、集合住宅であれば１戸当り１枚として総戸数以上の枚数になる。そして是正工事で関係者に配布される総枚数はその数倍になってしまう。分離型の検査結果シートも電子データ化されない場合も多く見られ、多数業者混在した物をそのままコピーするので１社に対して余計な数者分の配付量となってしまう。工事管理者にとって、これら多量の書類を扱いながらの工事推進も大きな労力の負担になるという問題もある。
【００１８】
また、軽微な工事や不具合が少数な場合は平面図に直接不具合内容を記入して検査シートを省くこともある。このようなことから、位置情報を欠いた検査結果シートの不具合内容だけでは電子データ化の価値が低く、清書的意味合いでのパソコン利用はされていても検査結果データのＩＴ化はあまり活用されてこなかったという問題もある。
【００１９】
工事管理者による是正工事の確認も再手直しが続くと、検査結果シートと位置確認図のファイルを持ち歩き、否マークから合マークへ修正しながら現場で何度もめくらなければならないという問題もある。
【００２０】
工事完成後に保存書類とする場合は、ファイルの置場を確保するか、手間をかけて電子媒体にコピーをしなければならないという問題もある。
【００２１】
一方、現場での記入は不具合が発見されてくる速度に合わせることが求められるが、検査シートと図面の両方を符合させながらの記入に手間取ることがある。しかも記録後はそのまま大勢が使用するので誰にでも読み安いことが必要だが、足元や照度等が一定していない現場での立ち姿による文字書きは器用でない者にとって面倒という問題もある
【００２２】
また携帯型情報入力機器を使う例では、やはり位置確認図が不可欠という条件から画面内に図面と不具合内容を分割表示することになり、図面は小割りされた比較的狭い範囲となり、不具合内容を記載するスキャナー等により読み取られたリストも少数事項しか入力するスペースが確保できない、また入力で使うコード表も１つづつ呼び出して表示を切り替えなければならない、という問題がある。印刷では是正工事用に不具合内容欄と平面図を同一紙葉に印刷すると画面と近似した配置構成になってしまい、更に不具合件数が多くなると図面内のマーキングも入り乱れ、不具合リストも同一図面なのに別の不具合リストを貼り付けて印刷することになる。また、不具合内容リストと位置確認図を別綴じした場合は、前述のとおり、是正工事では内容書き部分と位置確認図を見比べながら該当不具合を探し出さなければならない、という問題がある。このように古くから使われてきた手書きによる検査シートから携帯型情報入力機器を使った検査シートに替えても位置確認図を欠かすことが出来ない、という問題点は解消されていなかった。
【００２３】
ここまで説明の建築工事における検査と同様、既に存在している建物の定期検査や修復工事でも不具合箇所を伝達する手段として位置確認図が欠かせないという同じ問題がある。
【００２４】
本発明は、建築の検査において発見された不具合の位置を座標上の数値に置き換えて検査シートに取り込み、位置情報と内容情報を１つにまとめて表現するとともに、現場での不具合記録作業について効率の良い記入ができる検査シートの提供を目的とする。尚、本発明では紙を使った検査シートも電子情報機器の画面に表示される表も検査シートと呼ぶ。
【課題を解決するための手段】
【００２５】
本発明は不具合位置を数値情報として検査シートに取込むことにより上記目的を達成しようとするものである。具体的には、建築工事の目視検査において使用する検査シートであって、検査で発見された不具合が存在する面に平面座標を設定し、その座標上の数値で不具合の位置を記録する位置欄を設けることにより、不具合の内容情報と位置情報を１つの情報として表現するものである。
【００２６】
また、第２の課題解決手段は前記位置欄が１室ごとに、又は分割された１区画ごとにその床面に平面座標を設定し、床面の不具合位置を床面の平面座標上の数値で記録する位置欄であることにより、床面に発生している不具合の内容と位置を検査シートだけで把握するものである。
【００２７】
そして、第３の課題解決手段は床面以外の不具合を床面に投影し、投影された位置を前記床面に設定した平面座標上の数値で位置欄に記録することにより、壁面や天井面に発生している不具合位置を床面と同じ座標内の数値で把握するものである。
【００２８】
更に第４の課題解決手段は床面に設定した平面座標上の数値を記録する位置欄に床面に投影された不具合が存在する高さを記録する高さ欄を合わせ持つことにより、不具合の位置と高さを数値として把握するものである。
【００２９】
また、第５の課題解決手段は１室の壁面を構成する面ごとに、又は分割された１区画の壁面を構成する面ごとに平面座標を設定し、壁面を正面に見て壁面に存在する不具合をその座標内の位置そのままで数値として把握するものである。
【００３０】
また、第６の課題解決手段は平面座標を設定した面を縦横２辺ともに同一の数値で等分、又は面の１辺を一定の数値で等分し、等分された１つの刻みを座標の１目盛とした数値にすることにより、測定器具を使わずに面内の位置を記録していくものである。
【００３１】
また第７の課題解決手段は不具合の位置を数値として表示する位置欄を設けた検査シートを携帯型電子情報入力機器の画面に表示させて不具合情報を記録するものである。
【００３２】
また第８の課題解決手段は建築工事の目視検査において使用する手書き用検査シートであって不具合の発生している室名、部位名、不具合内容、処理方法、関係業者名等をコード記入に変えることで現場での記入を簡単にするものである。
【００３３】
そして第９の課題解決手段は建築工事の目視検査において発見された不具合の箇所数に応じて、不具合内容を列挙する行数が下方に追加できる検査シートを携帯型電子情報入力機器の画面に表示すると共に、その画面の一部にコードリストや項目リストを表示し、そのコードリストや項目リストを利用してコード欄や項目欄に該当する文字を入力するものである。
【００３４】
上記第１の課題解決手段による作用は次の通りである。すなわち、発見された不具合の位置をその不具合が発生している面に設定した座標のＸとＹの数値で記録することにより、不具合がその面内のどこに存在するかを検査シートで示すものである。
【００３５】
また、第２および第３の課題解決手段による作用は、１室あるいは１区画で発見された不具合をその床面に設定した平面座標上の数値で検査シートに記録する、すなわち従来の平面図を使った位置確認図のマーキング位置をそのまま検査シートに数値として取り込むことになる。
【００３６】
更に、第４の課題解決手段による作用は、この平面座標に投影された不具合が存在する高さを加えることにより、床面より上の壁面や造作物の不具合を立体情報として検査シートに記録するものである。
【００３７】
また、第５の課題解決手段による作用は、壁の立面図や造作物の姿図に直接マーキングした位置をそのまま検査シートに数値として取り込むことであり、面に向かって床面をＸ軸、左縦辺をＹ軸とする座標が浮かび易く位置欄の２つの数字を使って容易に探し出すことができる。
【００３８】
以上のように、図面に頼らざるを得なかった不具合の位置情報を数値として伝達するものである。
【００３９】
また、第６の課題解決手段による作用は、座標を設定した面を縦横とも同一の数値で等分、例えば床面を８等分すれば、室の中央が縦方向も横方向も４目盛点に当り、その半分の地点が２目盛で、またその半分が１目盛ということで、不具合のおおよその位置をＸとＹについて、１目盛を最小単位とすれば０〜８の９文字で表現できる。数値の決定は勘に頼ることになるが、是正のために場所を探し出す目的は充分果たす事ができる。
【００４０】
また第７の課題解決手段による作用は位置情報を、従来の画面に表示された図面へのマーキングに変わり、数値化した電子情報として記録することになる。また、図面の分割表示がなくなることで、より多くの不具合事項が画面内に一瞥でき、コード欄も常に表示しておくことができる。
【００４１】
また、第８および第９の課題解決手段による作用は、コード欄を配置した項目について、具体的な記入から簡単なコード記入に変えることで立ち姿による現場での記録速度を上げることができる。
【発明の効果】
【００４２】
上述したように本発明の検査シートを使えば、不具合の位置をその不具合が発生している面に設定した座標の数値で記録することにより、検査結果シートだけでその面内の不具合内容と不具合位置を関係者に伝達することができる。
【００４３】
また、１室ごとに、あるいは分割された１区画ごとにその床面に平面座標を設定し、発見された不具合位置を床面に投影し、投影された位置を平面座標のＸとＹの数値に変えて検査シートの位置欄に記録することにより、検査結果シートだけで不具合場所にたどり着くことができる。
【００４４】
そして上記位置欄に高さ欄を加えることにより、探し求めた不具合の位置にたどり着いた後、壁や柱に生じている不具合を検査で発見された物であると断定することができ、検査シートだけで是正工事ができる。
【００４５】
また、壁面ごとの平面座標設定は、壁面の不具合をそのままの位置で読み取り記録することであり、壁面を正面から見て座標が浮かび易くＸとＹの数値で簡単に探しだすことができる。これは図面の有無など全く関係なく、部分的な検査、例えば壁面や壁に取り付く造作物にも、更に造形物や外壁など高さの有る面を外から見る検査シートにも使うことができる。
【００４６】
以上の様に位置を数値で記録できるので、仕上げ工事の検査でも躯体の検査でも記入は検査シートだけでよく、是正工事も、是正後の確認も、保存書類としても検査結果シートだけで済ますことができる。
【００４７】
また一体型では、位置確認図用の図面が不要なのでシートその物が無用の物となり、わざわざ一体型シートを準備することもなくなる。これは携帯型電子情報入力機器を利用する場合も同様で、図をスキャナーで読み取り、画面上で図と内容記録欄を分割表示する等の前準備が不要となる。
【００４８】
以上のように、検査シートだけで不具合情報を網羅できるので、電子データ化の効果も大幅に向上する。具体的には、電子データ化されれば是正工事の各段階で作業目的に合わせた利用ができる。是正指示書は業者別にアウトプットした物だけでよく、是正工事の確認も確認作業の順に並び替えもできるし、残工事だけの抽出など、工事の進捗に合わせた絞りこみで効率を上げることができる。記録保存として残すのも容易である。
【００４９】
使用する用紙は位置確認図が不要になるだけでも減少するが、電子データ化されれば是正指示書を業者別に抽出して作成することが出来るので激減する。それに伴い多量の用紙に振りまわされてきた関係者の労力も減少する。
【００５０】
また，座標を設定した面を縦横共、同数値で等分し１刻み１目盛とすることで測定器具を使わず目視によりその場の即断で検査シートに不具合位置を記録していくことができる。そしてこの単純な数値で不具合位置を関係者に確実に伝達することができる。
【００５１】
以上の説明のように、本発明によれば検査記録は検査シートへの入力だけですむため、携帯型電子情報入力機器を持ち運んでの現場入力も取り組み易い。例えばモバイルパソコンを使って表計算ソフトを利用することなどが考えられる。そして不具合が発見されたその場所で電子情報として記録されれば、即，次工程のための資料として使うことができる。
【００５２】
また、手書き用検査シートの記入でもコードを利用すると、現場での記録速度が上がるばかりでなく、検査後のデータ入力作業の助けにもなり電子データ化の一層の促進にもなる。
【００５３】
また、携帯型情報入力装置を使った現場入力では、画面の一部に表示されたコードリストや項目リストを利用して入力操作を簡便にし、更にタッチパネル式画面を使えばポインティングによるコピー入力にも使える。
【００５４】
更にこの発明による位置の数値化に慣れてくると、職種の違う大勢の人間が混在して従事し、刻々と状況が変化していく現場にとって重要な日々の連絡調整にも、場所を簡単に伝達できる道具として活用できる。例えば本発明を応用して、毎日行っている工事打合わせの指示書に取り入れても、口頭による伝達に使っても共通の位置を示す道具として使うことができ、お互いの思い違い防止や指示の徹底という効果も期待できる。
【発明を実施するための最良の形態】
【００５５】
以下、本発明を図面に基づいて説明する。図１は分離型の検査シート例で、本発明に係る座標上の位置を記録する位置欄１１−６と業者コード欄１１−１３を設定した完成検査シート１が示されている。不具合事項記入欄１２の下には位置決定のルールとなる座標軸基準１３と、業者コードを記入するための業者コード表１４−４が配置されている。不具合事項記入欄１２に列記された不具合は図１４の従来の完成検査シート６と同様、図２の平面図部分の検査結果である。
【００５６】
まず本発明に係る１室の床面に平面座標を当てはめる軸の設定例と位置を表す数値例について説明する。図３の（Ａ）は１室の床面１５において下辺の壁１６をＸ軸，縦左辺の壁１６をＹ軸とし，上辺の壁１６をＹ＝１０、縦右辺の壁１６をＸ＝１０と置いて１室平面を縦横とも１０等分し、１０分の１を１目盛とした座標例である。そして平面図中に●印でマーキングされた○書き数字１、２、３のＸとＹの位置は右の位置表１８の通りそれぞれ１から１０の間の数値で表される。
【００５７】
数値の決定方法は、例えば○書き数字２のＸ値は、まずＸ辺の中央線１７を体感し、その値Ｘ＝５とＹ軸である左の壁、即ちＸ＝０点の間の半分より少し中央線１７寄りなので３としている。Ｙ値も同様に決定される。この精度は記録する者の勘に頼ることになるが、目的が現場において目視で発見された不具合を探し出すことなので、該当数値付近と言うことで充分その目的が達成される。この体感しながらの感覚による判断速度は速く、しかも１目盛を最小数値とすることでテンポ良く検査シートに記入していける。
【００５８】
図３の（Ｂ）は１室の床面１５の形状が矩形から変形した例であるが（Ａ）と同じ座標の設定では（Ａ）と同様の数値で表現出来る。もちろん辺が曲線からなる場合もなんら変わることなく、設定した座標の中で同様の数値表現となる。
【００５９】
図３の（Ｃ）は１室の床面１５を左右に２分割し、室の左側部分を（１）室、右側部分を（２）室と見なした例である。この分割数は上下左右いくつでも良く、図３（Ｂ）のように変形した部分での分割や、広い面積の室や廊下等において目安となる柱などで分割できれば効果的である。また工場や展示場などの大空間や、躯体工事や仕上げ工事着手前の躯体状態において、建物本体の各通り芯に囲まれた１区画を１室と見なしても応用できる。
【００６０】
図３の（Ｄ）は１室の床面１５において出入口１９がＸ軸上に有ると見なし、入り口に立って室を眺め、左側壁１６をＹ軸とした例である。この軸配置方法は室に入った時点で軸の感覚が楽に頭に浮かびやすい方法である。もちろん２方向以上からの出入口が有る場合はルール決めにより運用される。
【００６１】
図３の（Ｅ）は１室の床面１５を縦横中央にＸＹ軸を配置し、Ｘ寸法は左辺を−１０、右辺を＋１０、Ｙ寸法は下辺を−１０、上辺を＋１０とした例である。この軸配置方法は比較的広い面積の室で中央付近に目印となる物が有れば、自分が座標の中心にいることを実感しながら各位置を把握することが出来る。
【００６２】
以上、床面に設定した座標における軸と数値の決め方について数例をあげて説明してきたが、一つの現場では混乱を招かないよう原則として１方法に統一し、例外的に他の方法を加えることを推奨する。
【００６３】
次に壁面に設定した座標の軸と数値の決定についてこれまでの例を使って説明する。図３（Ａ）の１室の床面１５を壁立面と解釈して相対すると、自然にＸ軸を床、Ｙ軸を左側の壁とする座標が想像され、●印１〜３は壁面でも位置表１８の通りである。
【００６４】
図３（Ｂ）の床面１５も壁立面と解釈して相対すると、立面上の形は矩形ではないが（Ａ）と同様の座標の中で数値を表現できる。図３（Ｃ）もまた、この１室の床面１５を壁立面と解釈して相対すると、壁の１立面を数個に分割した例となり、廊下や工場など長く展開している面を柱などで区切ればそれぞれを１壁面として扱うことができる。また、外壁面に対し各階レベルで水平に分割、柱で横方向を分割、即ちＸ軸を各階フロアー面、Ｙ軸を各通り芯に設置すれば大きな１立面を１スパン１フロアーで分割した１区画の１面として扱える。
【００６５】
次に１室を構成する壁面の扱い方法について、図４（Ａ）の床面１５を１室とする例で説明する。室の中央付近から４方向矢印２６に従いイ方向立面から時計廻りにロ方向立面、ハ方向立面、ニ方向立面の４面扱いにする方法と、面矢印２７に従ってａ面、ｂ面、ｃ面、ｄ面、ｅ面、ｆ面の６面扱いにする方法がある。図中の●印１〜３は床面に投影された不具合であるが、壁面座標にすると４面扱いでは位置表２８、６面扱いでは位置表２９の通りに記録される。
【００６６】
イ方向はａ面のみから成り、イ方向立面図もａ面立面図も同じ面で図４（Ｂ）の立面図３０となり縦横１０等分すると不具合番号１の数値はいずれもｘ＝２、ｙ＝７である。ロ方向に相対するのはｂ面とｄ面だが、１面扱いにしたのが図４（Ｃ）のロ方向立面図３１で不具合番号２と３は同一の座標内に有って数値は表２８の通りである。６面扱いではｂ面もｄ面もそれぞれ単独の面となり立面図にすると（Ｄ）のｂ面立面図３２と（Ｅ）のｄ面立面図３３となり、不具合番号２はｂ面に、不具合番号３はｄ面に有って数値は表２９の通りである。
【００６７】
同様にハ方向は４面扱いではｃ面とｅ面を合わせて１面、６面扱いではそれぞれ単独の面、ニ方向はｆ面のみから成り同じ１面扱いとなる。この面数の設定は面の大小、変形具合、不具合の状況によって適宜決められることになるがルールを決めて運用されればよい。
【００６８】
以上、床面と壁面に座標を設定する例について説明したが、立体物の外観でも面としての扱いは同様に設定できる、例えば図３（Ａ）の床面１５を造り付け家具の１姿面と解釈すれば現場の中で家具だけの検査シートに利用できる。
【００６９】
さて、図２の平面図部分を検査するにあたり、座標軸基準１３内の※印１３−１では「ＸＹの数値は床面に投影した位置」とし、座標軸基準は「入り口に立ち、室内に向かい足元がＸ軸上、左辺壁がＹ軸」即ち図３の（Ｄ）例と同じ設定の座標で、メモリは「縦横とも１０等分」としている。
【００７０】
これに従い図２各室の座標を図５で模式的に示す。会議室２１は入口１９がＸ軸上にあって入口１９から室内を見て左側の壁１６をＹ軸としている。応接室２２、打合室２３も同様に入口１９がＸ軸上にあって左側の壁１６をＹ軸としている。この場合、不具合の位置、●印１〜４は図５の位置表２５の様に読み取ることができる。図１の不具合事項記入欄１２に列記してある不具合番号欄１１−１の１から４についてそれぞれＸ軸欄１１−７とＹ軸欄１１−８はこの位置表２５のＸ欄２５−１とＹ欄２５−２と同じである。
【００７１】
この位置欄１１−６のＸＹ数値は従来の平面図にマーキングした位置確認図をそのまま数値化して検査シートに記録するもので、是正者は入室して床平面を見ながら２つの数値を当てはめるだけで不具合位置にたどり着くことができる。
【００７２】
また、図５の高さ欄２５−３は壁の不具合高の実寸法であるが、これを検査シート１の高さ欄１１−９に記録することで立体情報となり、附箋が貼って無くても容易に探し当てることができる。この精度も発見された不具合であることが判別できればよく、日常生活の中で体感している天井高に近い範囲であれば各個人が持つ観念寸法で充分機能する。
【００７３】
次ぎに本発明によるコードを利用して現場での手書き用の検査シート記入を簡略する例について説明する。
【００７４】
図１の検査シート１では業者名にコードを利用している。業者コード表１４−４より該当業者の符号を選択して業者コード欄１１−１３に記入することにより現場での業者名欄１１−１４の記入を省き、後で落ち着いて記入することができ、電子データ化する場合も入力の助けになる。業者名は漢字使用が多いのでコードの記入だけで済めば楽な記入作業が出来る。
【００７５】
その他のコード利用例として、図６に室名、部位、不具合内容の例を示す。室名コード表１４−１より選択したコードを室名コード欄１１−２に記入することにより室名欄１１−３の記入を省略することができる。集合住宅の場合、室名が限られるのでコードが記憶しやすく、同じ室名が頻繁に使われるのでコードの記入だけで済めば効率的である。
【００７６】
部位コード表１４−２より部位コード欄１１−４を利用したのが部位欄１１−５である。部位名はどんな工事でも共通に使われる単語が多いので有効に利用できる。ここでは詳しく表現する為にコード欄１４−２を２列にし、部位欄１１−５も２列に分けて表現した例であるが、検査シートの構成によっては２段書きにしてもよい。また躯体工事では必ず使われる柱、梁、スラブ等やそれらに付けられた符号等もコード化されてよい。
【００７７】
不具合コード表１４−３より不具合コード欄１１−１０を利用したのが不具合内容欄１１−１１である。工事の種類によって発生する不具合現象に共通な傾向がある場合に活用できる。躯体工事でも、かぶり、ピッチ、乱れ、不足、間隔不良、補強筋、等、不具合語句が限られてくるので有効に利用できる。
【００７８】
以上、コード例を上げたが、手書き用の検査シートでは、どの項目を利用するかは現場の状況や記入者個人の感覚で選択すればよく、使う文字もひらがな他、任意であるが、繰り返し使われる語句については覚えやすいコードにしておくことを推奨する。尚、検査シートの記入者に、例えば不具合を指摘した検査者がコードリストを持参し、不具合内容と同時にコードも伝達すれば全ての項目にコードを使うことができる。この様にコード欄の利用で記入速度が上がり、個人差による記入具合も少なくなる。そして不具合内容の電子データ化作業では室名や部位等の入力の助けにもなる。
【００７９】
さて、検査シート１の位置欄１１−６では不具合を床面の座標に投影した位置で記録したが、ここの不具合番号１を壁面に座標を設定した場合について説明する。図５会議室２１の不具合番号１が存する壁面に相対したのが図７（Ａ）の立面図３４である。ここでは縦横１０等分、すなわち左右の壁面間も床と天井間も１０等分すると、●印不具合１はＸ＝４、Ｙ＝６と読み取れ、仮にこの面をイ面と称すると、図７（Ｂ）検査シート部分図２の位置欄１１−６のように記録される。
【００８０】
また床と接するＸ軸を１０等分してＹ軸は実寸法とする座標、即ち高さ寸法３５は図１検査シート１の高さ欄１１−９と同様１．５ｍと記録したのが（Ｃ）の位置欄１１−６である。この様に面に対して１辺のみを等分し、他辺は別の尺度で記録する方法もルール決めによって便利に使うことができる。
【００８１】
このように立面上に発生している不具合を、立面上の位置そのままに数値化して検査シートに取り込むことが可能になり、是正工事者も壁に相対して２つの数値をそのまま頼るだけで即座に不具合を見つけ出すことができる。また、この図７（Ａ）の壁の立面図３４は外壁面あるいは外壁を分割した１の壁立面図としても、躯体工事で配筋中の壁立面図としても共通して使えるものである。
【００８２】
尚、同一のシート内で床や天井は床面座標とし壁や造作物は立面座標、例えば面称欄１１−１８に書き込みが有れば壁面、無ければ床面や天井面と使い分けるのも便利であるが、混同しやすいので習熟するまではどちらかに限定することを勧める。
【００８３】
また、軸の呼び方はＸＹ軸のほかＡＢ軸としても、床面座標をＸＹにして壁面座標をＡＢと使い分けても、その他の表現でも現場固有のルール付けで運用することができる。もちろん一目で明らかに位置が分かる場合は無理に位置欄に数字を入れる必要はない。
【実施例１】
【００８４】
図８は集合住宅工事の検査シート例である。集合住宅では主に一体型が使われているが、ここでは位置確認欄を設けて分離型を採用している。完成検査シート３には本発明による室名コード欄１１−２と位置欄１１−６を設け、不具合事項記入欄１２の下には室名コード表１４−１とこの工事で定めた座標軸基準１３を配置している。不具合事項記入欄１２に記載されている上から６事項までは図９平面図部分の不具合でこの集合住宅工事の検査結果シートの一部である。尚、ここでは不具合場所に附箋貼り、を採用するので高さ欄を省いている。
【００８５】
座標軸基準１３によれば、各室の座標は「Ｘ軸：東西方向の南側壁」と「Ｙ軸：南北方向の西側壁」により図９のＬＤ室３７の左下、軸方向印４０に従う。押入等の収納部分３９は「接する壁面上に有るとする」すなわち収納内部の不具合は数字上では壁面位置に有るものとしている。又「玄関・廊下は合わせて１室」すなわち玄関廊下室３６としている。
【００８６】
この座標軸基準に基づき各室のＸＹ軸について模式的に表現したのが図１０である。各室ともＸＹ軸を「１０等分」するがここでは寝室３８のみに目盛線を入れてみた。発見された不具合１〜６は位置表４１のように読み取ることができる。図８の位置欄１１−６のＸＹ数値はこの表に従っている。
【００８７】
この検査結果シートをこのまま使えば、位置確認図がなくても是正工事ができる。そしてこのシート内容をそのまま電子データ化すれば位置も内容も備えた不具合の電子データファイルが出来上がる。
【００８８】
尚、模式図は関係者に理解されれば不要なものであるが、説明用として数例を揚げても有効に使うことができる。また、座標軸基準やコード欄は他の方法で周知されれば検査シートから省くことができる。
【００８９】
コードについては、ここでは室名コード欄１１−２を設置し、室名コード表１４−１のように２文字以内のローマ字で記憶もしやすく現場記入を簡単にしている。
【００９０】
図１１は図９平面図部分の住戸が属する集合住宅棟の全戸について検査を行い、電子データ化された不具合情報より１業者に、例えばここでは業者名欄１１−１４に記載の「井上美装」について抽出し、是正指示書４とした一部分である。この是正指示書では図８検査シート３の室名コード欄１１−２を省略し、業者確認欄１１−１５と元請確認欄１１−１６を追加している。従来の一体型では１事項でも指摘があればそのままその１枚をコピーして来たが、このように使用目的に応じた検査データの抽出や表項目の構成代えも可能となる。当然、コピー量も減少するので、多量にコピーした書類を仕分けし、配布し、是正完了報告として受領し、その確認と整理など、一連の書類管理に対する労力も減少する。
【００９１】
是正者は自分用の是正指示書のみを現場へ持参するだけで不具合位置へ到達することができ、そこで現場に貼った付箋と不具合内容を照合できる。是正が終了したら業者確認欄１１−１５にその旨を印して元請へ報告する。
【００９２】
報告を受けた元請の担当者も自由にデータを抽出できるので原本の元請確認欄１１−１６への記入も効率的にでき、未完成事項だけを抽出しての再指示や、現場確認作業もデータの絞り込みで能率を上げることができる。
【００９３】
そして工事が終われば、労力も掛けずにそのまま保存記録として出来上がっている。
【００９４】
従来方法では同じ場所の検査記録であっても検査ごとに異なった位置確認図が作成されるため、検査ごとの不具合内容ファイルと位置確認図を別別に準備して是正工事を行っていたが、本発明を電子データ化使えば全検査記録を１つにして管理できる。例えば、工事担当者は自己の担当工事における各プロセス管理のために記録した自己メモデータに、他者による各種検査で発見されてくる自己担当に関する不具合データを追加しながら１つの情報ファイルとして、場所ごとに、あるいは専門工事業者ごとに等、不具合事項を整理しながら工事管理ができる。
【００９５】
以上の説明の通り、本発明により集合住宅のような工事でも分離型にすることができるので、一体型の検査シートをわざわざ準備する必要がなく、現場で参考になる程度の数戸まとまった縮小版を持参すればよい。平面構成を理解した者であれば平面図そのものを持参しなくてもよい。
【実施例２】
【００９６】
図１２は躯体工事においてコンクリート打設前にスラブ型枠上で行われる検査シートの部分図５である。ここでは図１完成検査シート１の「室名」欄１１−３に代わる項目名として「区画名」欄１１−１７を設置している。不具合事項記入欄１２には図１３の平面図部分を検査して発見された不具合が記入されている。尚，ここではスラブ型枠上、すなわち水平面を主とする型枠と配筋を対象とした検査なので高さ欄は不要としている。
【００９７】
座標軸基準１３によれば「通り芯で分割された１区画」を「縦横とも１０等分」している。そしてこの区画のＸＹ軸は「横方向通り芯の下辺をＸ軸」「縦方向通り芯の左辺をＹ軸」即ち図１３ではＢ４の通り芯２０をＸ軸、Ａ５の通り芯２０をＹ軸としている。区画名欄１１−１７の表現をここでは軸名をとって「Ａ５Ｂ４」と称すると、この右隣は「Ａ６Ｂ４」でＢ４の通り芯２０がＸ軸、Ａ６の通り芯２０がＹ軸となる。
【００９８】
座標軸基準１３内の※印欄１３−１によれば、「隣り合う区画の通り芯部分はＸ＝０、及びＹ＝０の方に帰属」すなわちＡ６の通り芯２０の大梁４２に存する不具合はＸ＝０の方、従って「Ａ６Ｂ４」区画に存することとなる。
【００９９】
図１３平面図内の破線で囲まれた範囲４３は不具合番号２が広がっている範囲を示しており、必要があれば検査シート５の位置欄１１−６に記録されているＸ欄「３」とＹ欄「７」をＸ欄「１〜５」とＹ欄「５〜９」とすることもできる。同様に不具合番号３は破線４４に従いＸ欄「７」とＹ欄「８」をＸ欄「７」とＹ欄「７〜１０」と表現してもよい。
【０１００】
このように本発明による検査シートを使えば建築工事の書類の中でも重要な、躯体工事の検査記録と是正処理、に関する保存書類も簡単に残すことが出来る。
【０１０１】
以上のように、大きな面でも全体を分割し、分割された１区画ごとに平面座標軸を設定することにより検査シートだけで不具合情報をまとめることができる。応用例として図１３の躯体平面図を基礎平面図としても、大きな１室の平面図としても同様に利用できる。
【実施例３】
【０１０２】
図１４は携帯型電子情報入力機器の画面に表示されたワークシート８で、画面上部８−１に本発明に係わる座標上の位置を記録する位置欄１１−６を設定した検査シート６を表示させ、上記検査シートの各項目の入力に際して利用するコード表を画面下部８−２に表示させている。ここでは室名から業者名まで全ての項目の前にコード欄を設けて、下部のコード表を利用してコード入力している。いま、業者コード１４−４が表示され、不具合番号「４」１１−１−１の関係業者「日本塗装」は業者コード表１４−４より「に」１４−４−１を選択、そして該当する業者コード欄１１−１３−１にコピーされ、表計算ソフトの計算式（省略）に従って項目欄１１−１４−１に「日本塗装」と表示されている。他の方法としてコード欄に直接、キーボードで入力しても、コード入力をやめてコード表から業者名を直接、業者名欄にコピーするなど任意であるが、コード欄を介して入力すると検査後の表の加工使えて便利である。
【０１０３】
表示するコード表の項目種は、例えばコード表ボックス１４−５に左表より該当する数字を選択して画面の上下左右に表示させる方法でも、検査シート６を表しているシートとは別シート８−３に、検査シートの各項目欄と各項目名欄とを同列に合わせたコード表を作成し、２つのシートを上下に並べて参照する等、表計算ソフトを使えば任意な方法が考えられる。
【０１０４】
また斜め書き文字１１−１２−１はコード表に記載ない語句をキーボードから入力したものである。同一工事では共通不具合が発生する傾向があり、コード表に空白欄を設けておいて一度その場で追加入力すれば繰り返し利用することもできる。
【０１０５】
以上、手書き用の検査シート例や情報入力機器の画面に表示した検査シート例で説明したが、検査シートの構成は前記実施例に限定されるものでなく、項目の並び順序や異なる項目名の呼び方、更に新たな項目欄、例えば、検査名欄、備考欄、完了予定日欄等の設定は任意で決められてよく、座標軸基準欄やコード表の配置の有無も任意である。また実施例の不具合事項記入欄は１事項１行書きであるが、例えば室名欄の下に部位欄、位置欄の下に不具合内容欄、業者欄を上下に２社分確保するなど複数行書きでも、また事項別に縦書きにしてもよい。
【０１０６】
また、これまで不具合位置を検査シートに数値情報として取り込む方法を説明してきたが、従来方法により検査結果シートに数値化した情報を持たない場合でも、既に図面やパソコン上の図に記録されている位置確認図からマーキングされた位置を本発明に従って数値化し利用しても本来の目的を達することが可能であり本発明に含まれるものである。
【０１０７】
もちろん本発明と位置確認図を併用するのも、一体型シートの中で利用するのも、また、検査シートに高さ欄を設定し、併用して不具合位置に附箋を貼る方法も適宜採用されてよい。そして、実施例として完成検査シート例、及びコンクリート打設前検査例を揚げたが、その他の検査、例えば基礎工事で利用するのも、躯体工事中や仕上工事中の各段階で利用するのも、部分検査で利用するのも本発明に含まれる。要するに目視による検査において発見された不具合位置を、面に設定した座標の中で数値化し、検査結果シートや是正工事指示書の中に取り込んで有ればよい。
【０１０８】
また本発明の適用は新築工事や改修工事の他、竣工後の点検や居住者退去後の点検において発見された不具合・不都合の修復や変更工事のための記録、あるいは将来工事につながる記録としての利用も本発明に含むものである
【産業上の利用可能性】
【０１０９】
本発明は建築工事の目視検査において前準備から検査記録、そして検査後の是正工事、更に記録の保存まで一連の作業を効率的に推進する道具として建築生産活動に利用することができる。
【図面の簡単な説明】
【０１１０】
【図１】本発明の実施の形態を表す検査シート例
【図２】図１及び図１４の検査シート中で検査対象となっている部分の平面図
【図３】床面座標の設定例と数値例
【図４】壁面の扱い例
【図５】図２各室に設定した座標の模式図と不具合の位置表
【図６】室名・部位・不具合内容のコード例
【図７】会議室不具合１の壁面座標と数値例
【図８】集合住宅工事の検査シート例
【図９】図８の検査シート中で検査対象となっている部分の平面図
【図１０】図９各室に設定した座標の模式図と不具合の位置表
【図１１】是正指示書例
【図１２】コンクリート打設前検査シートの部分例
【図１３】図１２の検査シート中で検査対象となっている部分の躯体平面図
【図１４】携帯型電子情報入力機器の画面に表示された検査シート例
【図１５】従来の検査シート例
【符号の説明】
【０１１１】
１    本発明による完成検査シート
２    本発明による壁面座標設定の検査シート部分図
３    本発明による集合住宅の完成検査シート
５    コンクリート打設前検査シート部分図
６    画面に表示された本発明による検査シート例
１１−１    不具合番号欄
１１−２    室名コード欄
１１−３    室名欄
１１−４    部位コード欄
１１−６    位置欄
１１−７    Ｘ軸欄
１１−８    Ｙ軸欄
１１−９    高さ欄
１１−１０    不具合コード欄
１１−１３    業者コード欄
１２    不具合事項記入欄
１３    座標軸基準
１５    １室の床面
１６    壁
２０    通り芯
【図１】
2007145009.tif 000003
【図２】
2007145009.tif 000004
【図３】
2007145009.tif 000005
【図４】
2007145009.tif 000006
【図５】
2007145009.tif 000007
【図６】
2007145009.tif 000008
【図７】
2007145009.tif 000009
【図８】
2007145009.tif 000010
【図９】
2007145009.tif 000011
【図１０】
2007145009.tif 000012
【図１１】
2007145009.tif 000013
【図１２】
2007145009.tif 000014
【図１３】
2007145009.tif 000015
【図１４】
2007145009.tif 000016
【図１５】
2007145009.tif 000017